(57)【要約】【課題】支持パイプが伸縮可能であり、これに伴って出力モジュール部内にマイクコードの伸縮部分が設けられるグースネック型マイクロホンにおいて、回路基板に対するマイクコードのはんだ付け部分がマイクコードの伸縮部分で擦られないようにする。【解決手段】一部分に伸縮パイプを含み上端側でコンデンサマイクロホンユニットを支持する支持パイプと、回路基板３２が内蔵されたシールドケースの上端に口金２３を介して支持パイプの下端に連結される出力モジュール部３０と、一端がコンデンサマイクロホンユニットに接続され他端４０ｂ側が支持パイプおよび口金２３内を通して出力モジュール部３０内に引き出され回路基板３２にはんだ付けされるマイクコード４０とを備え、出力モジュール部３０内におけるマイクコードの他端４０ｂ側に支持パイプの伸縮に伴って伸縮するコード伸縮部分４１が含まれているグースネック型マイクロホンにおいて、回路基板３２に少なくともマイクコード４０のはんだ付け部分Ｓを覆う被覆部材５０を設ける。【選択図】図２
2008283246.tif 000002
【特許請求の範囲】
【請求項１】
入れ子式の伸縮パイプと屈曲可能なフレキシブルパイプとを含み、その上端側でコンデンサマイクロホンユニットが支持される支持パイプと、音声出力回路を含む回路基板が内蔵された円筒状のシールドケース有し、その上端に口金を介して上記支持パイプの下端が連結される出力モジュール部と、上記支持パイプ内に挿通されていて一端が上記コンデンサマイクロホンユニットに接続され、他端が上記口金内を通して上記出力モジュール部内に引き出され上記回路基板の一方の面に存在する所定の電極端子にはんだ付けされるマイクコードとを備え、上記出力モジュール部内における上記マイクコードの他端側に上記支持パイプの伸縮に伴って伸縮するコード伸縮部分が含まれているグースネック型マイクロホンにおいて、
上記回路基板には、少なくとも上記電極端子に対する上記マイクコードのはんだ付け部分を覆う被覆部材が設けられていることを特徴とするグースネック型マイクロホン。
【請求項２】
上記被覆部材として、低摩擦の合成樹脂材からなるカバーフィルムが用いられることを特徴とする請求項１に記載のグースネック型マイクロホン。
【請求項３】
上記電極端子が上記回路基板の上記口金側の一端側に配置されており、上記マイクコードの他端側の一部が、上記電極端子に対するはんだ付け部分から上記回路基板の一方の面に沿って上記回路基板の他端側に向けて所定距離だけ反口金側に延在する基板添設部とされており、上記マイクコードの他端側の残部が、上記基板添設部の終端位置から折り返されて上記口金内のコード挿通孔に至る上記コード伸縮部分とされ、上記被覆部材が上記はんだ付け部分から上記基板添設部の終端位置までの間を覆うように配置されていることを特徴とする請求項１または２に記載のグースネック型マイクロホン。
【請求項４】
上記被覆部材には、上記基板添設部の終端位置を上記回路基板のいずれか一方の端面側に位置させるガイド溝が形成されていることを特徴とする請求項１ないし３のいずれか１項に記載のグースネック型マイクロホン。
【請求項５】
上記カバーフィルムは、上記電極端子に対する上記マイクコードのはんだ付け部分を含めて上記回路基板の一方の面の所定範囲を覆う主面部と、上記主面部の左右両端に連設され上記回路基板の他方の面側に沿って折り畳み可能な第１，第２のフラップ片と、上記主面部の上記電極端子側の一端に連設され上記回路基板の他方の面側に沿って折り畳み可能な第３のフラップ片とを備え、上記第１ないし第３の各フラップ片が、上記回路基板の他方の面側で接着テープにて相互に固定されることを特徴とする請求項２ないし４のいずれか１項に記載のグースネック型マイクロホン。
【請求項６】
上記回路基板には上記コンデンサマイクロホンユニットに対する給電トランスが実装されており、上記カバーフィルムの上記主面部の他端には、上記給電トランスの少なくとも一部分を覆う第４のフラップ片が連設されていることを特徴とする請求項２ないし５のいずれか１項に記載のグースネック型マイクロホン。
【発明の詳細な説明】
【技術分野】
【０００１】
本発明は、マイクロホンユニットを支持する支持パイプが伸縮可能（長さ調節可能）であるグースネック型マイクロホンに関し、さらに詳しく言えば、支持パイプの伸縮に伴って伸縮するマイクコードの配線処理技術に関するものである。
【背景技術】
【０００２】
グースネック型マイクロホンは、主に会議施設のテーブルなどに立設して使用され、話者の口元にマイクロホンを向けやすくするため、そのマイクロホンの支持部材として、屈曲可能な支持パイプ（グースネック）が用いられる。
【０００３】
通常、支持パイプには屈曲自在で自己保形性を有するフレキシブルパイプが用いられるが、例えば話者の背丈高さに合わせてマイクロホンの高さ位置をさらに調節できるようにするため、支持パイプ内に入れ子式の伸縮パイプを含ませて支持パイプの長さを調節可能としたグースネック型マイクロホンがある。
【０００４】
この種の長さ調節可能な支持パイプを有するものをアジャスタブルグースネック型と称しており、その構成を図５（ａ），（ｂ）および図６により説明する。図５（ａ）はアジャスタブルグースネック型マイクロホンの支持パイプを最大限伸ばした状態を示す断面図，図５（ｂ）は支持パイプを最短に縮めた状態を示す断面図，図６はマイクコードを出力モジュール部の回路基板に接続する状態を示す拡大断面図である。
【０００５】
図５（ａ），（ｂ）を参照して、グースネック型マイクロホンにおいては、タイピン型マイクロホンと同じく、マイクロホンの存在が目立たないようにするため、コンデンサマイクロホンユニット１０と、出力モジュール部３０とが分離して構成され、コンデンサマイクロホンユニット１０は支持パイプ２０の上端に支持され、出力モジュール部３０は支持パイプ２０の下端に口金２３を介して連結される。
【０００６】
コンデンサマイクロホンユニット１０は、例えばアルミニウムからなるカートリッジケース（シールドケース）を備えており、図示しないが、そのケース内には振動板と固定極とを含むコンデンサユニットと、音声信号出力用のインピーダンス変換器とが収納されている。通常、インピーダンス変換器にはＦＥＴ（電界効果トランジスタ）が用いられる。
【０００７】
このグースネック型マイクロホンは、アジャスタブルグースネック型であるため、支持パイプ２０には、屈曲自在なフレキシブルパイプ２１と、長さ調節用の金属パイプからなる入れ子式の伸縮パイプ２２とが含まれている。
【０００８】
この例では、フレキシブルパイプ２１は、先端側の第１フレキシブルパイプ２１ａと下端側の第２フレキシブルパイプ２１ｂとに分離され、それらの間に伸縮パイプ２２が同軸的に介装されているが、例えば支持パイプ２０の下端側が伸縮パイプとされ、上端側がフレキシブルパイプとされることもある。
【０００９】
出力モジュール部３０は、例えば黄銅合金からなる円筒状のシールドケース３１を備えており、シールドケース３１内には、回路基板３２と出力コネクタ３３などが収納されている。なお、出力モジュール部はパワーモジュール部と呼ばれることもある。
【００１０】
回路基板３２には、マイクロホンとして機能するために必要なローカットフィルタ回路や増幅回路などを含む音声出力回路（図示省略）が設けられているほか、図に表されている部分について説明すれば、マイクスイッチ３４や給電トランス３５などの電気部品が実装されている。
【００１１】
出力コネクタ３３には、通常、ＥＩＡＪ  ＲＣ５２３６「音響用ラッチロック式丸形コネクタ」に規定されている３ピンタイプの出力コネクタが用いられる。すなわち、出力コネクタ３３は、接地用の１番ピン，信号のホット側として用いられる２番ピン，信号のコールド側として用いられる３番ピンを有し、図示しない平衡シールドケーブルを介してファントム電源と接続される。
【００１２】
コンデンサマイクロホンユニット１０と出力モジュール部３０は、支持パイプ２０内に挿通されるマイクコード４０を介して電気的に接続される。図示しないが、マイクコード４０には、コンデンサマイクロホンユニット１０に電源を供給する電源線と、上記インピーダンス変換器から出力される音声信号を回路基板３２の音声出力回路に供給する信号線と、これら電源線，信号線を静電遮蔽して接地に落とされるシールド被覆線とを含む２芯シールド被覆線が用いられる。
【００１３】
アジャスタブルグースネック型マイクロホンにおいては、伸縮パイプ２２を伸縮させて支持パイプ２０の長さを調節する際、それに伴って、マイクコード４０も伸縮させる必要がある。そのため、出力モジュール部３０内にマイクコード４０のコード伸縮部分４１が設けられる。従来において、このコード伸縮部分４１は次のようにして形成される（例えば、特許文献１参照）。
【００１４】
マイクコード４０は、図５に示すように、支持パイプ２０内を挿通され、その一端４０ａがコンデンサマイクロホンユニット１０に接続されるとともに、他端４０ｂは、図６に示すように、口金２３内を通して出力モジュール部３０内に引き出され、回路基板３２の一方の面に形成されている電極端子３２ａにはんだ付けされる。
【００１５】
なお、出力モジュール部３０内におけるマイクコード４０の配線長を短くして外来電磁波に起因する雑音発生を低減する観点から、電極端子３２ａは回路基板３２の口金２３側寄りの一端に形成されている。また、この例において、回路基板３２の一端側は口金２３に例えばはんだ付けもしくはネジ止めにより固定されている。
【００１６】
この構成において、コード伸縮部分４１を作るには、図６に示すように、シールドケース３１を支持パイプ２０側にずらして回路基板３２を露出させておき、図５（ａ）に示すように、支持パイプ２０を最大限伸ばした状態としてマイクコード４０を回路基板３２上に引き出して適当な長さに切断する。
【００１７】
そして、特にマイクコード４０が縮められる際にはんだ付け部分に過大な応力（はんだ付け部分を引き剥がす方向の力）がかからないようにし、また、初期の折り癖が付くように、その他端４０ｂ側を１８０゜折り返して電極端子３２ａにはんだ付けする。
【００１８】
その後、シールドケース３１を戻して回路基板３２に被せて、シールドケース３１を図示しないネジにより口金２３にネジ止めし、また、出力コネクタ３３をシールドケース３１に図示しないネジによりネジ止めする。
【００１９】
これにより、図５（ｂ）に示すように、支持パイプ２０を縮めると、その縮められた分のコード余剰部分がコード伸縮部分４１として出力モジュール部３０内にジグザク状にカールしながら貯められることになる。
【００２０】
【特許文献１】特開２００６−１９８５４号公報（図３）
【発明の開示】
【発明が解決しようとする課題】
【００２１】
上記従来例によれば、マイクコード４０を最大限伸ばした状態として、その他端４０ｂ側を１８０゜折り返して回路基板３２の電極端子３２ａにはんだ付けしているため、その後、支持パイプ２０を縮めると、マイクコード４０の他端側が出力モジュール部３０内にジグザク状に折り曲げられながら収納されていくのであるが、これには次のような問題がある。
【００２２】
すなわち、支持パイプ２０の伸縮に伴って、マイクコード４０が出力モジュール部３０から引き出されたり、引き戻されたりする際、その都度、電極端子３２ａのはんだ付け部分がマイクコード４０によって擦られることになり、はんだ付けが剥がれて断線するおそれがある。
【００２３】
また、マイクコード４０は口金２３内の狭い通路を通って直進しようとするため、出力モジュール部３０内において、回路基板３２の基板面に対してほぼ垂直な方向（縦方向）にカールしようとする。
【００２４】
すなわち、回路基板３２とシールドケース３１の内面との間の狭い空間内でジクザク状に折り畳まれることになり、その動きが窮屈になるため、支持パイプ２０の伸縮がスムースに行われず、また、回路基板３２に過大な応力がかけられることになるため、好ましくない。この現象は、支持パイプ２０の伸縮長が長くなるほど顕著に現れる。
【００２５】
したがって、本発明の課題は、支持パイプが伸縮可能であり、これに伴って出力モジュール部内にマイクコードの伸縮部分が設けられるアジャスタブルグースネック型マイクロホンにおいて、マイクコードの繰り返しの伸縮により、回路基板に対するマイクコードのはんだ付け部分が剥がれないようにすることにある。また、本発明の別の課題は、出力モジュール部内におけるマイクコードの伸縮部分の動きをスムースにさせることにある。
【課題を解決するための手段】
【００２６】
上記課題を解決するため、本発明は、請求項１に記載されているように、入れ子式の伸縮パイプと屈曲可能なフレキシブルパイプとを含み、その上端側でコンデンサマイクロホンユニットが支持される支持パイプと、音声出力回路を含む回路基板が内蔵された円筒状のシールドケース有し、その上端に口金を介して上記支持パイプの下端が連結される出力モジュール部と、上記支持パイプ内に挿通されていて一端が上記コンデンサマイクロホンユニットに接続され、他端が上記口金内を通して上記出力モジュール部内に引き出され上記回路基板の一方の面に存在する所定の電極端子にはんだ付けされるマイクコードとを備え、上記出力モジュール部内における上記マイクコードの他端側に上記支持パイプの伸縮に伴って伸縮するコード伸縮部分が含まれているグースネック型マイクロホンにおいて、上記回路基板には、少なくとも上記電極端子に対する上記マイクコードのはんだ付け部分を覆う被覆部材が設けられていることを特徴としている。
【００２７】
本発明の好ましい態様によれば、請求項２に記載されているように、上記被覆部材として、低摩擦の合成樹脂材からなるカバーフィルムが用いられる。
【００２８】
また、本発明の好ましい態様によれば、請求項３に記載されているように、上記電極端子が上記回路基板の上記口金側の一端側に配置されており、上記マイクコードの他端側の一部が、上記電極端子に対するはんだ付け部分から上記回路基板の一方の面に沿って上記回路基板の他端側に向けて所定距離だけ反口金側に延在する基板添設部とされており、上記マイクコードの他端側の残部が、上記基板添設部の終端位置から折り返されて上記口金内のコード挿通孔に至る上記コード伸縮部分とされ、上記被覆部材が上記はんだ付け部分から上記基板添設部の終端位置までの間を覆うように配置される。
【００２９】
また、本発明の好ましい態様によれば、請求項４に記載されているように、上記被覆部材には、上記基板添設部の終端位置を上記回路基板のいずれか一方の端面側に位置させるガイド溝が形成される。
【００３０】
また、本発明の好ましい態様によれば、請求項５に記載されているように、上記カバーフィルムは、上記電極端子に対する上記マイクコードのはんだ付け部分を含めて上記回路基板の一方の面の所定範囲を覆う主面部と、上記主面部の左右両端に連設され上記回路基板の他方の面側に沿って折り畳み可能な第１，第２のフラップ片と、上記主面部の上記電極端子側の一端に連設され上記回路基板の他方の面側に沿って折り畳み可能な第３のフラップ片とを備え、上記第１ないし第３の各フラップ片が、上記回路基板の他方の面側で接着テープにて相互に固定される。
【００３１】
また、本発明の好ましい態様によれば、請求項６に記載されているように、上記回路基板には上記コンデンサマイクロホンユニットに対する給電トランスが実装されており、上記カバーフィルムの上記主面部の他端には、上記給電トランスの少なくとも一部分を覆う第４のフラップ片が連設される。
【発明の効果】
【００３２】
請求項１の発明によれば、入れ子式の伸縮パイプと屈曲可能なフレキシブルパイプとを含み、その上端側でコンデンサマイクロホンユニットが支持される支持パイプと、音声出力回路を含む回路基板が内蔵された円筒状のシールドケース有し、その上端に口金を介して上記支持パイプの下端が連結される出力モジュール部と、上記支持パイプ内に挿通されていて一端が上記コンデンサマイクロホンユニットに接続され、他端が上記口金内を通して上記出力モジュール部内に引き出され上記回路基板の一方の面に存在する所定の電極端子にはんだ付けされるマイクコードとを備え、上記出力モジュール部内における上記マイクコードの他端側に上記支持パイプの伸縮に伴って伸縮するコード伸縮部分が含まれているグースネック型マイクロホンにおいて、コード伸縮部分にて擦られる回路基板のはんだ付け部分に被覆部材を設けたことにより、はんだ付け剥離による断線を確実に防止することができる。
【００３３】
上記被覆部材として低摩擦の合成樹脂材からなるカバーフィルムを用いるようにした請求項２の発明によれば、回路基板に対して被覆部材を簡単に取り付けることができるとともに、低摩擦であることにより、コード伸縮部分の動きをよりスムースにさせることができる。
【００３４】
上記電極端子が上記回路基板の上記口金側の一端側に配置されており、上記マイクコードの他端側の一部が、上記電極端子に対するはんだ付け部分から上記回路基板の一方の面に沿って上記回路基板の他端側に向けて所定距離だけ反口金側に延在する基板添設部とされており、上記マイクコードの他端側の残部が、上記基板添設部の終端位置から折り返されて上記口金内のコード挿通孔に至る上記コード伸縮部分とされ、上記被覆部材を上記はんだ付け部分から上記基板添設部の終端位置までの間を覆うように配置するようにした請求項３の発明によれば、上記被覆部材にてマイクコードの他端側に初期の折り癖を付けることができ、また、その折り癖を確実なものとすることができる。
【００３５】
上記被覆部材に上記基板添設部の終端位置を上記回路基板のいずれか一方の端面側に位置させるガイド溝を形成するようにした請求項４の発明によれば、コード伸縮部分を回路基板の基板面に沿って緩やかな確度で折り曲げることができる。
【００３６】
上記カバーフィルムは、上記電極端子に対する上記マイクコードのはんだ付け部分を含めて上記回路基板の一方の面の所定範囲を覆う主面部と、上記主面部の左右両端に連設され上記回路基板の他方の面側に沿って折り畳み可能な第１，第２のフラップ片と、上記主面部の上記電極端子側の一端に連設され上記回路基板の他方の面側に沿って折り畳み可能な第３のフラップ片とを備え、上記第１ないし第３の各フラップ片を上記回路基板の他方の面側で接着テープにて相互に固定するようにした請求項５の発明によれば、カバーフィルムを回路基板に対して確実に取り付けることができる。
【００３７】
上記回路基板には上記コンデンサマイクロホンユニットに対する給電トランスが実装されており、上記カバーフィルムの上記主面部の他端に上記給電トランスの少なくとも一部分を覆う第４のフラップ片を連設するようにした請求項６の発明によれば、回路基板に対するカバーフィルムの位置ずれを確実に防止することができ、カバーフィルムの信頼性をより高めることができる。
【発明を実施するための最良の形態】
【００３８】
次に、図１ないし図４により、本発明の実施形態について説明する。図１は本発明の要部である出力モジュール部を示す拡大平面図，図２は図１の左側面図，図３は図１の背面図，図４（ａ）は出力モジュール部内の回路基板に適用されるカバーフィルム（被覆部材）の展開図，図４（ｂ）はカバーフィルムを折り畳んだ状態を示す平面図，図４（ｃ）はその左側面図である。
【００３９】
なお、図１ないし図３には支持パイプが示されていないが、本発明のグースネック型マイクロホンもアジャスタブルグースネック型であり、先の図５，図６で説明した従来例と同じく、フレキシブルパイプ２１と伸縮パイプ２２とを含む支持パイプ２０を備え、支持パイプ２０の先端にコンデンサマイクロホンユニット１０が支持されている。支持パイプ２０の構成については、適宜図５（ａ）（ｂ）を参照されたい。
【００４０】
また、図１ないし図３には出力モジュール部の内部構造のみが示され、シールドケースは図示が省略されている。シールドケースは、上記従来例が備えているシールドケース３１と同一構成であってよい。そのほか、上記従来例と同一もしくは同一と見なされてよい構成要素には同一の参照符号を用いている。
【００４１】
図１ないし図３に示すように、出力モジュール部３０内には、回路基板３２と出力コネクタ３３とが設けられている。回路基板３２には、マイクロホンとして機能するために必要なローカットフィルタ回路や増幅回路などを含む音声出力回路（図示省略）が設けられているほか、図に表されている部分について説明すれば、マイクスイッチ３４や給電トランス３５などの電気部品が実装されている。
【００４２】
出力コネクタ３３は、上記従来例と同じく、ＥＩＡＪ  ＲＣ５２３６「音響用ラッチロック式丸形コネクタ」に規定されている３ピンタイプの出力コネクタであってよく、回路基板３２の他端（後端）に配置されている。
【００４３】
図１ないし図３には、支持パイプ２０を出力モジュール部３０に連結するための口金２３と回路基板３２とが分離して示されているが、この実施形態において、回路基板３２の一端側は、はんだ付けもしくはネジなどにより、口金２３に一体的に連結されている。
【００４４】
図１に示すように、回路基板３２の口金２３側の一端には、アース，信号のホットおよびコールドに対応するハンダパッドを含む電極端子３２ａが形成されており、この電極端子３２ａに、コンデンサマイクロホンユニット１０側から伸びるマイクコード４０の他端４０ｂがはんだ付けされる。図１，図２において、このはんだ付け部分に参照符号Ｓを付す。
【００４５】
本発明においても、出力モジュール部３０内に支持パイプ２０の伸縮に伴って伸縮するコード伸縮部分４１が作られる。このコード伸縮部分４１は、上記従来例と同じく、シールドケース３１を支持パイプ２０側にずらして回路基板３２を露出させておき、支持パイプ２０を最大限伸ばした状態（図５（ａ）参照）としてマイクコード４０を口金２３のコード挿通孔２３ａを通して回路基板３２上に引き出して適当な長さに切断する。
【００４６】
そして、特にマイクコード４０が縮められる際にはんだ付け部分Ｓに過大な応力（はんだ付け部分を引き剥がす方向の力）がかからないようにし、また、初期の折り癖が付くように、その他端４０ｂ側を１８０゜折り返して電極端子３２ａにはんだ付けする。
【００４７】
これにより、図５（ｂ）に示すように、支持パイプ２０を縮めると、その縮められた分のコード余剰部分がコード伸縮部分４１として出力モジュール部３０内にジグザク状にカールしながら貯められることになる。
【００４８】
コード伸縮部分４１のマイクコード４０は、支持パイプ２０の伸縮に伴って口金２３のコード挿通孔２３ａを通って出力モジュール部３０内に出入りするが、回路基板３２の電極端子３２ａは口金２３側寄りに配置されているため、はんだ付け部分Ｓが出入りするマイクコード４０によって擦られ、これが繰り返されるとはんだ剥離が発生するおそれがある。
【００４９】
このはんだ剥離を防止するため、本発明においては、少なくともはんだ付け部分Ｓを被覆する被覆部材を備える。この実施形態では、低摩擦の合成樹脂材（例えば、ポリエチレンテレフタレート）からなるカバーフィルム５０を上記被覆部材として用いている。
【００５０】
カバーフィルム５０は、図４（ａ）の展開図に示すように、はんだ付け部分Ｓを含めて回路基板３２の一方の面の所定範囲を覆う主面部５１と、主面部５１の左右両端に連設された第１，第２のフラップ片５２，５３と、主面部５１のはんだ付け被覆側の一端に連設された第３のフラップ片５４と、主面部５１の他端側に連設された第４のフラップ片５５とを備えている。
【００５１】
第１，第２のフラップ片５２，５３は、それぞれ２つの山折り線５２ａ，５３ａ；５２ｂ，５３ｂを介して回路基板３２の他方の面側に沿って折り畳み可能であり、また、第３のフラップ片５４も２つの山折り線５４ａ，５４ａを介して回路基板３２の他方の面側に沿って折り畳み可能である。図４（ｂ）に、第１ないし第３の各フラップ片５２〜５４を回路基板３２の他方の面側に折り畳んだ状態を示す。
【００５２】
これに対して、第４のフラップ片５５は、回路基板３２に実装されている給電トランス３５上を覆うように、谷折り線５５ａと山折り線５５ｂとを介して図４（ｃ）に示すようにほぼＬ字状に折り曲げられる。
【００５３】
このカバーフィルム５０は、マイクコード４０の他端４０ｂを電極端子３２ａにはんだ付けしたのちの回路基板３２の一方の面上に展開した状態で配置され、第１ないし第３の各フラップ片５２〜５４を回路基板３２の他方の面側に折り畳み、図３に示す各フラップ片５２〜５４の重なり部分を図示しない接着（粘着）テープで接合することにより、回路基板３２に取り付けられる。
【００５４】
なお、カバーフィルム５０を回路基板３２に対してガタツキなく取り付けることができるようにするため、少なくとも山折り線５２ａ，５３ａ；５２ｂ，５３ｂ間の間隔は、回路基板３２の板厚とほぼ同じとすることが好ましい。
【００５５】
これにより、マイクコード４０の他端４０ｂ側の一部、すなわち電極端子３２ａに対するはんだ付け部分Ｓから所定距離だけ反口金２３側に延在する部分が基板添設部４２としてカバーフィルム５０主面部５１によって押さえられ、基板添設部４２の終端位置４２ａから口金２３のコード挿通孔２３ａに至る部分までが実際のコード伸縮部分４１となる。
【００５６】
また、コード伸縮部分４１を回路基板３２の基板面に沿って緩やかな確度で折り曲げ（カール）可能とするためには、図１に示すように、基板添設部４２の終端位置４２ａを回路基板３２のいずれか一方の端面側に位置させることが好ましい。
【００５７】
そこで、この実施形態においては、基板添設部４２の終端位置４２ａを回路基板３２の端面側に確実に位置させるため、主面部５１の第４のフラップ片５５の付け根部分にガイド溝５１ａを形成している。
【００５８】
上記したように、マイクコード４０の他端４０ｂを回路基板３２に接続するとともに、回路基板３２にカバーフィルム５０を取り付けたのち、最終的にシールドケース３１を支持パイプ２０側から戻して回路基板３２および出力コネクタ３３に被せて、シールドケース３１を口金２３にネジ止めする。
【００５９】
この場合、回路基板３２にカバーフィルム５０が取り付けられ、また、給電トランス３５の上面に第４のフラップ片５５が配置されているため、回路基板３２にシールドケース３１をスムースに被せることができる。また、第４のフラップ片５５があることにより、回路基板３２に対するカバーフィルム５０の位置ずれを確実に防止することができる。
【００６０】
以上、図示の例に基づいて本発明を説明したが、本発明はこれに限定されるものではない。例えば、電極端子３２ａに対するマイクコード４０のはんだ付け部分Ｓのみを被覆部材で覆う構成としてもよい。その場合、被覆部材にフィルムでなく、樹脂液の塗布物を用いてもよい。
【図面の簡単な説明】
【００６１】
【図１】本発明の要部である出力モジュール部を示す拡大平面図。
【図２】図１の左側面図。
【図３】図１の背面図。
【図４】（ａ）カバーフィルムを示す展開図，（ｂ）はカバーフィルムを折り畳んだ状態を示す平面図，（ｃ）はその左側面図。
【図５】（ａ）はアジャスタブルグースネック型マイクロホンの支持パイプを最大限伸ばした状態を示す断面図，（ｂ）は支持パイプを最短に縮めた状態を示す断面図。
【図６】マイクコードを出力モジュール部の回路基板に接続する状態を示す拡大断面図。
【符号の説明】
【００６２】
１０  コンデンサマイクロホンユニット
２０  支持パイプ
２１（２１ａ，２１ｂ）  フレキシブルパイプ
２３  口金
２３ａ  コード挿通孔
３０  出力モジュール部
３１  シールドケース
３２  回路基板
３２ａ  電極端子
３３  出力コネクタ
４０  マイクコード
４１  コード伸縮部分
４２  基板添設部
５０  カバーフィルム
５１  主面部
５１ａ  ガイド溝
５２  第１のフラップ片
５３  第２のフラップ片
５４  第３のフラップ片
５５  第４のフラップ片
Ｓ  はんだ付け部分
【図１】
2008283246.tif 000003
【図２】
2008283246.tif 000004
【図３】
2008283246.tif 000005
【図４】
2008283246.tif 000006
【図５】
2008283246.tif 000007
【図６】
2008283246.tif 000008